(57)【要約】【課題】組立工程を簡略化することができ、耐久性と組立時の安全性に優れた巾木と巾木の化粧板を提供する。【解決手段】巾木１は、トイレブースの床面８に固定される上面開口の下巾木２と、間仕切りパネルの下端に取り付けられ、下巾木２に被さる下面開口の上巾木４とで構成される。下巾木２と上巾木４は、ステンレス板を曲げて形成することができる。下巾木２の端部の蓋板３には、磁石１０が設けられている。下巾木２の端部の蓋板３の外側には化粧板９が配置されるが、化粧板９には磁性材料からなる凸部１１が形成されており、この凸部１１が磁石１０に吸着されることによって化粧板９が下巾木２に固定される。【選択図】  図１
2005282200.tif 000002
【特許請求の範囲】
【請求項１】
トイレブースの床面に固定される上面開口の下巾木と、間仕切りパネルの下端に取り付けられ、前記下巾木に被さる下面開口の上巾木とを備えた巾木の先端部に密着固定される巾木用化粧板において、磁性材料からなる凸部が設けられたことを特徴とする巾木用化粧板。
【請求項２】
トイレブースの床面に固定される上面開口の下巾木と、間仕切りパネルの下端に取り付けられ、前記下巾木に被さる下面開口の上巾木とを備えた巾木において、磁性材料からなる凸部が設けられた巾木用化粧板を吸着固定するための磁石が下巾木の蓋板に設けられていることを特徴とする巾木。
【発明の詳細な説明】
【技術分野】
【０００１】
本発明は、トイレブースの間仕切りパネルと床面との間の隙間を塞ぐ巾木と、巾木の先端部に密着固定される巾木用化粧板に関する。
【背景技術】
【０００２】
トイレブースの間仕切りパネルと床面との間の隙間を塞ぐ部材として巾木が用いられている。従来の巾木の一例を図４、図５に示す。
図４において、トイレブースを仕切るための間仕切りパネル７と床面８との間が、ステンレス製の巾木１で塞がれている。図５に巾木１の構成を示す。図５において、巾木１は、床面８にビス止めされる上面開口の杆状の下巾木２と、間仕切りパネル７の下面にビス止めされ、下巾木２の外側を覆う下面開口の上巾木４とで構成されている。
【０００３】
下巾木２と上巾木４とは、ステンレス板を曲げて加工した杆部材の端部に、端板３１、５１を溶接により固定しているため、巾木１の製作に手間と時間がかかりコスト高となっていた。
【０００４】
この問題を解決するために、本発明者は、特許文献１において開示されている巾木を発明した。この巾木の構成を図６に示す。
図６において、巾木１は、トイレブースの床面８に固定される上面開口の下巾木２と、間仕切りパネル７の下端に取り付けられ下巾木２に被さる下面開口の上巾木４とで構成される。下巾木２の端部の蓋板３は、下巾木２の両側板２２、２３間を塞ぐ端板３１とこの端板３１の下端に内向きに突設され、下巾木２の底板２１と一緒にビス止めされる支え板３２とで形成されている。上巾木４の端部の蓋板５は、上巾木４の両側板４２、４３間を塞ぐ端板５１とこの端板５１の上端に内向きに突設された支えバネ板５２とで形成され、支えバネ板５２は上巾木４を間仕切りパネル７に固定するビス４５の首下の嵌入を許す先端が開口した貫通溝孔５６を開設しており、支えバネ板５２がビス４５の首下と上巾木４の天板４１の内面との間を突っ張って蓋板５を係止している。
【０００５】
下巾木２内には、上巾木４の高さを調節するジャッキ６が配備されている。ジャッキ６は、天板６１の両側に下向きに脚板６２、６３を突設し、天板６１に開設したビス孔６４にボルト６５を螺合して形成されている。
以上の構成によって、従来の溶接によって端板３１、５１を固定することに比べて、作業性が良く、コストを低減することができる。
【０００６】
【特許文献１】実公平８−３５４３号公報
【発明の開示】
【発明が解決しようとする課題】
【０００７】
しかし、その後の検討によって、上記の巾木についても組立工程の簡略化等について改良の余地があることがわかった。
本発明は、このような事情を考慮してなされたもので、組立工程を簡略化することができ、耐久性と組立時の安全性に優れた巾木と巾木の化粧板を提供することを目的とする。
【課題を解決するための手段】
【０００８】
以上の課題を解決するために、本発明の巾木用化粧板は、トイレブースの床面に固定される上面開口の下巾木と、間仕切りパネルの下端に取り付けられ、前記下巾木に被さる下面開口の上巾木とを備えた巾木の先端部に密着固定される巾木用化粧板において、磁性材料からなる凸部が設けられたことを特徴とする。
巾木用化粧板に設けられた凸部を磁性材料によって形成することにより、巾木用化粧板を磁力吸着によって安定的に巾木の先端部に密着固定させることができる。そのため、巾木の内部への水の浸入を防止することができ、間仕切りパネルの腐食を防止することができる。また、巾木用化粧板のぐらつきがないため、巾木の組立作業を安全に行うことができる。
【０００９】
また、本発明の巾木は、トイレブースの床面に固定される上面開口の下巾木と、間仕切りパネルの下端に取り付けられ、前記下巾木に被さる下面開口の上巾木とを備えた巾木において、磁性材料からなる凸部が設けられた巾木用化粧板を吸着固定するための磁石が下巾木の蓋板に設けられていることを特徴とする。
下巾木の蓋板と巾木用化粧板とは、磁石による吸引力によって瞬時に固定されるため、ねじ止めに比べて固定作業に要する時間を短縮することができる。
【発明の効果】
【００１０】
本発明によると、巾木用化粧板を磁力吸着によって安定的に巾木の先端部に密着固定させることができる。そのため、巾木の内部への水の浸入を防止することができ、間仕切りパネルの腐食を防止することができる。また、巾木用化粧板のぐらつきがないため、巾木の組立作業を安全に行うことができる。また、磁石による吸引力によって瞬時に固定されるため、ねじ止めに比べて固定作業に要する時間を短縮することができる。
【発明を実施するための最良の形態】
【００１１】
以下、本発明をその実施形態に基づいて詳細に説明する。
図１に、本発明の実施形態に係る巾木の構成を示す。
巾木１は、トイレブースの床面８に固定される上面開口の下巾木２と、間仕切りパネル７の下端に取り付けられ、下巾木２に被さる下面開口の上巾木４とで構成される。下巾木２と上巾木４は、ステンレス板を曲げて形成することができる。下巾木２の側板２２、２３端部を連結する蓋板３には、磁石１０が設けられている。図１においては、磁石１０は円形のものを用いているが、その形状は他の形状であってもよい。
【００１２】
下巾木２の端部の蓋板３の外側には化粧板９が配置されるが、化粧板９には磁性材料からなる凸部１１が形成されており、この凸部１１が磁石１０に吸着されることによって化粧板９が下巾木２に固定される。
【００１３】
図２は、化粧板９が下巾木２に固定される様子を、下巾木２の側面から見た図であり、図３は、これに上巾木４を被せた状態を示す。上巾木４の先端部は化粧板９に密着しており、平板状に形成された凸部１１が磁石１０に対して面状に固定されているため、ねじ止めにより固定する場合と比べて固定面を広くとることができる。そのため、化粧板９がぐらついて横ずれすることなく、安定して固定される。
【００１４】
化粧板９が横ずれを生じると、清掃時において水が巾木の内部に浸入しやすくなるが、本発明の上記の構成によると、巾木１の内部への水の浸入を防止することができ、間仕切りパネル７の腐食を防止することができる。また、化粧板９のぐらつきがないため、巾木１の組立作業を安全に行うことができる。さらに、磁石１０による吸引力によって瞬時に固定されるため、ねじ止めに比べて固定作業に要する時間を短縮することができる。
なお、巾木１の高さ調節は、下巾木２と上巾木４の接合位置を必要に応じて調整することによって行うことができる。
【産業上の利用可能性】
【００１５】
本発明は、トイレブースの間仕切りパネルと床面との間の隙間を塞ぐ巾木と巾木用化粧板として利用することができ、巾木と巾木用化粧板とを安定して密着固定することができる。
【図面の簡単な説明】
【００１６】
【図１】本発明の実施形態に係る巾木の構成を示す図である。
【図２】化粧板が下巾木に固定される様子を下巾木の側面から見た図である。
【図３】図２に示す状態に上巾木を被せた状態を示す図である。
【図４】トイレブースの間仕切りパネルと床面との間の隙間を塞ぐ巾木を示す図である。
【図５】従来の巾木の一例を示す図である。
【図６】特許文献１に記載の巾木の構成を示す図である。
【符号の説明】
【００１７】
１  巾木
２  下巾木
３  蓋板
４  上巾木
７  間仕切りパネル
８  トイレブースの床面
９  化粧板
１０  磁石
１１  凸部
【図１】
2005282200.tif 000003
【図２】
2005282200.tif 000004
【図３】
2005282200.tif 000005
【図４】
2005282200.tif 000006
【図５】
2005282200.tif 000007
【図６】
2005282200.tif 000008